(57)【要約】【課題】冷温水製造と共に発電が可能で、温度レベルに合わせて、膨張機の出力を増大することが可能な発電及び吸収冷温水装置を提供する。【解決手段】温度の異なる二種類以上の熱源、又は顕熱変化をする熱源流体を入口から出口に向かって温度の異なる多熱源とする高熱源再生器ＧＨ、低熱源再生器ＧＬＸ、凝縮器Ｃ、吸収器Ａ、蒸発器Ｅ及びこれらの機器を接続する溶液流路と冷媒流路とを有する吸収冷温水装置であって、前記ＧＨからの冷媒蒸気で駆動する冷媒蒸気膨張機７を備え、該７に発電機８を接続したものであり、前記ＧＨは、発生する冷媒蒸気を７の最高圧部に導く流路を、また、順次温度の低下した再生器は、発生する冷媒蒸気を、該７の低圧側に導く流路を有し、また、ＧＨで発生する冷媒蒸気を熱源とする低温再生器Ｇを設け、該冷媒蒸気は７又はＧ又は両者に導く弁を有する配管で接続できる。【選択図】　図１
2004003788.tif 000002
【特許請求の範囲】
【請求項１】
温度の異なる二種類以上の熱源を利用し、あるいは顕熱変化をする熱源流体を入口から出口に向かって温度の異なる多熱源として利用し、少なくとも、高熱源再生器、低熱源再生器、凝縮器、吸収器、蒸発器及びこれらの機器を接続する溶液流路と冷媒流路とを有する吸収冷温水機であって、少なくとも、前記高熱源再生器からの冷媒蒸気で駆動する冷媒蒸気膨張機を備え、該冷媒蒸気膨張機に発電機を接続したことを特徴とする発電及び吸収冷温水装置。
【請求項２】
前記冷媒蒸気膨張機は、高熱源再生器で発生する冷媒蒸気を該膨張機の最高圧部に導き、また、順次温度の低下した熱源再生器で発生する冷媒蒸気を、該膨張機の低圧側に導くように構成したことを特徴とする請求項１記載の発電及び吸収冷温水装置。
【請求項３】
温度の異なる二種類以上の熱源を利用し、あるいは顕熱変化をする熱源流体を入口から出口に向かって温度の異なる多熱源として利用し、少なくとも、高熱源再生器、低熱源再生器、凝縮器、吸収器、蒸発器及びこれらの機器を接続する溶液流路と冷媒流路とを備えた吸収冷温水機であって、前記高熱源再生器からの冷媒蒸気及び低熱源再生器からの冷媒蒸気で駆動する冷媒蒸気膨張機を備え、該冷媒蒸気膨張機に発電機を接続したことを特徴とする発電及び吸収冷温水装置。
【請求項４】
前記吸収冷温水機には、高熱源再生器で発生する冷媒蒸気を熱源とする低温再生器を設け、該冷媒蒸気を前記冷媒蒸気膨張機又は低温再生器又は両者に導けるように切替機構を設けた配管で接続したことを特徴とする請求項１、２又は３記載の発電及び吸収冷温水装置。
【請求項５】
前記冷媒蒸気膨張機には、高熱源再生器からの冷媒蒸気で駆動する高圧冷媒蒸気膨張機と、低熱源再生器からの冷媒蒸気で駆動する低圧冷媒蒸気膨張機とを別個に設け、前記高熱源再生器で発生する冷媒蒸気を低温再生器に導く場合には、前記高圧冷媒蒸気膨張機と発電機との接続を解除し、前記低圧冷媒蒸気膨張機単独で駆動する制御機構を有することを特徴とする請求項４記載の発電及び吸収冷温水装置。
【請求項６】
前記凝縮器又は低温再生器と吸収器とは、それらの蒸気系を弁を有する配管で接続したことを特徴とする請求項１〜５いずれか１項記載の発電及び吸収冷温水装置。
【請求項７】
前記蒸発器には、溶液流路の溶液を該蒸発器の伝熱面に導く、暖房サイクル時に作動する弁を有する配管を接続したことを特徴とする請求項１〜６のいずれか１項記載の発電及び吸収冷温水装置。
【発明の詳細な説明】
【０００１】
【発明の属する技術分野】
本発明は、発電及び吸収冷温水装置に係り、特に、ガスタービン、エンジン等の外部からの排熱を熱源として、吸収冷温水機を運転すると共に、吸収冷温水機内に組込んだ冷媒蒸気を駆動源とする膨張機で、発電機を駆動して発電をも行う発電及び吸収冷温水装置に関するものである。
【０００２】
【従来の技術】
排熱を用いて冷温水を製造する装置、あるいは排熱を用いて発電をする装置など、どちらか一方を目的にした装置が、従来から用いられてきた。
排熱を用いて冷温水を製造し、冷暖房をする場合、中間期には、冷温水負荷がほとんどなくなり、排熱が有効利用できなくなる。
一方、排熱を用いて発電をする装置は、一年中、排熱の利用はできるが、発電効率は低い。冷暖房が必要な時期は、発電した電気で冷凍機あるいはヒートポンプを運転するよりも、排熱で吸収冷温水機を直接駆動した方が利用効率が高くできることが多い。
【０００３】
【発明が解決しようとする課題】
本発明は、上記従来技術に鑑み、冷温水製造と共に発電が可能な簡易な装置を用いて、冷暖房負荷が無い時には、発電単独の運転が可能で、熱源温度が多種類に渡る場合あるいは顕熱変化をする場合、温度レベルに合わせて、膨張機の出力を増大することが可能な発電及び吸収冷温水装置を提供することを課題とする。
【０００４】
【課題を解決するための手段】
上記課題を解決するために、本発明では、温度の異なる二種類以上の熱源を利用し、あるいは顕熱変化をする熱源流体を入口から出口に向かって温度の異なる多熱源として利用し、少なくとも、高熱源再生器、低熱源再生器、凝縮器、吸収器、蒸発器及びこれらの機器を接続する溶液流路と冷媒流路とを有する吸収冷温水機であって、少なくとも、前記高熱源再生器からの冷媒蒸気で駆動する冷媒蒸気膨張機を備え、該冷媒蒸気膨張機に発電機を接続したことを特徴とする発電及び吸収冷温水装置としたものである。
前記発電及び吸収冷温水装置において、冷媒蒸気膨張機は、高熱源再生器で発生する冷媒蒸気を該膨張機の最高圧部に導き、また、順次温度の低下した熱源再生器で発生する冷媒蒸気を、該膨張機の低圧側に導くように構成することができる。
【０００５】
また、本発明では、温度の異なる二種類以上の熱源を利用し、あるいは顕熱変化をする熱源流体を入口から出口に向かって温度の異なる多熱源として利用し、少なくとも、高熱源再生器、低熱源再生器、凝縮器、吸収器、蒸発器及びこれらの機器を接続する溶液流路と冷媒流路とを備えた吸収冷温水機であって、前記高熱源再生器からの冷媒蒸気及び低熱源再生器から冷媒蒸気で駆動する冷媒蒸気膨張機を備え、該冷媒蒸気膨張機に発電機を接続したことを特徴とする発電及び吸収冷温水装置としたものである。
【０００６】
前記発電及び吸収冷温水装置において、前記吸収冷温水機には、高熱源再生器で発生する冷媒蒸気を熱源とする低温再生器を設け、該冷媒蒸気を前記冷媒蒸気膨張機又は低温再生器又は両者に導けるように切替機構を設けた配管で接続することができ、前記冷媒蒸気膨張機には、高熱源再生器からの冷媒蒸気で駆動する高圧冷媒蒸気膨張機と、低熱源再生器で駆動する低圧冷媒蒸気膨張機とを別個に設け、前記高熱源再生器で発生する冷媒蒸気を低温再生器に導く場合には、前記高圧冷媒蒸気膨張機と発電機との接続を解除し、前記低圧冷媒蒸気膨張機単独で駆動する制御機構を有することができ、前記凝縮器又は低温再生器と吸収器とは、それらの蒸気系を弁を有する配管で接続することができ、また、前記蒸発器には、溶液流路の溶液を該蒸発器の伝熱面に導く、暖房サイクル時に作動する弁を有する配管を接続することができる。
【０００７】
【発明の実施の形態】
本発明は、冷暖房を必要とする時は、効率よく冷暖房を行うと共に、冷暖房が不要な時は発電を行えるようにしている。特に、発電単独運転への切替を容易にしている。
また、発電装置と冷凍装置とで機器をなるべく兼用することで、発電装置に、別途電気式冷凍装置を設けるよりもコンパクトでコストメリットを出している。
吸収剤と冷媒との組合せは、特に指定はないが、効率を上げるためには、なるべく吸収剤と冷媒との沸点差が大きいことが望ましい。
膨張機としては、タービン型、スクリュウ型、スクロール型等各種型式があり、主に、蒸気の容積流量で型式選択を行うことができる。
【０００８】
次に、本発明を図面を用いて詳細に説明する。
図１〜図８は、本発明の発電及び吸収冷温水装置のフロー構成図を示す。
図において、Ａは吸収器、ＧＨ、ＧＨ１、ＧＨ２は高熱源再生器、ＧＬＸは低熱源再生器、Ｇは低温再生器、Ｃは凝縮器、Ｅは蒸発器、Ｘは低温熱交換器、ＸＨ、ＸＨ１、ＸＨ２は高温熱交換器、ＳＰは溶液ポンプ、ＲＰは冷媒ポンプ、Ｖ１〜Ｖ９は弁、１と２は冷媒蒸気通路、３と４は冷却水、５は熱源、６は冷温水通路であり、また、７は冷媒蒸気膨張機、８は発電機、１１〜１７は溶液流路、１８〜２５は冷媒流路である。
図１、図２及び図５では、吸収器Ａ、蒸発器Ｅ、凝縮器Ｃを、一つの角型缶胴に収め、該缶胴の下部に吸収器Ａを、また吸収器Ａの斜め上部に蒸発器Ｅ、吸収器Ａ上部に凝縮器Ｃを配置し、吸収器Ａ、蒸発器Ｅの低圧側と、凝縮器Ｃとを、斜め隔壁で分け、斜め隔壁の下側には蒸発器Ｅから吸収器Ａへの冷媒蒸気が流れる通路２を配した構造としている。
【０００９】
また、この缶胴とは別に、高温排ガスを熱源５とする高熱源再生器ＧＨ又はＧＨ１、ＧＨ２と低熱源再生器ＧＬＸと溶液熱交換器Ｘ、ＸＨ、又はＸＨ１、ＸＨ２及び膨張機７と発電機８とが配備されている。
そして、この缶胴の吸収器Ａ及び凝縮器Ｃと高熱源再生器ＧＨ又はＧＨ１、ＧＨ２、低熱源再生器ＧＬＸ及び膨張機７とは、溶液流路１１〜１６及び冷媒流路２０〜２５でそれぞれ接続されて構成されている。
また、図３、図４及び図５〜図８は、図１の角型缶胴において、凝縮器Ｃの上部に低温再生器Ｇを配置し、該低温再生器Ｇと凝縮器Ｃとを斜め隔壁で分け、冷媒蒸気が流れる通路１とすると共に、缶胴の吸収器Ａ、低温再生器Ｇ及び凝縮器Ｃと高熱源再生器ＧＨ、低熱源再生器ＧＬＸ及び膨張機７とを、溶液流路１１〜１６及び冷媒流路２０〜２５でそれぞれ接続されて構成されている。
【００１０】
次に、図１を用いてそれぞれの運転について説明する。
図１は、水、メタノール、水＋メタノール、ＴＦＥなど、低圧冷媒であって、圧力があまり高くないとして、前記のように、吸収器、蒸発器、凝縮器を角型缶胴に収めて示している。
まず、冷房運転においては、弁Ｖ２、弁Ｖ３は閉止しており、蒸発器Ｅで冷媒蒸気が蒸発して、冷水（又はブライン）を冷却する。蒸発した冷媒は、吸収器Ａにて、冷却水で冷却されている吸収溶液に吸収される。
【００１１】
吸収器Ａの溶液は、流路１１から溶液ポンプＳＰで低温熱交換器Ｘの被加熱側を通った後、一部が流路１３から低熱源再生器ＧＬＸに送られ、残部は高温熱交換器ＸＨの被加熱側を通り高熱源再生器ＧＨに送られる。高熱源再生器ＧＨ、低熱源再生器ＧＬＸで熱源５によってそれぞれ加熱され、冷媒蒸気を発生し、溶液は吸収剤が濃縮された状態になる。高熱源再生器ＧＨで発生した冷媒は、流路２０により冷媒蒸気膨張機７で仕事をして凝縮器Ｃに、また、低熱源再生器ＧＬＸで発生した冷媒蒸気は、流路２４から直接凝縮器Ｃに入って凝縮し、蒸発器Ｅに戻る。濃縮溶液は、流路１２から熱交換器ＸＨ、Ｘの加熱側を通って、流路１６から吸収器Ａに戻り、吸収器伝熱面に散布される。冷水負荷があまり無く、冷房出力がオーバーする時は、熱源５が排熱の場合、熱源を最大限使用して発電量を確保し、一方、冷水（冷房）出力調整のため、膨張機７からの冷媒蒸気の一部を流路２５から弁Ｖ１を開として吸収器Ａに導く。
【００１２】
暖房運転においては、暖房時には、基本的には吸収器Ａ、凝縮器Ｃに冷却水３、４を流さず、吸収溶液を流路１７から弁Ｖ２を開として蒸発器Ｅ伝熱面に散布して温水を製造する。なお、高圧冷媒のときには散布式蒸発器ではなく、満液式蒸発器で差し支えない。
高熱源再生器ＧＨで発生した冷媒蒸気は、冷媒蒸気膨張機７で仕事をし、低圧冷媒蒸気となって、低熱源再生器ＧＬＸで発生した冷媒蒸気と共に、流路２５から弁Ｖ１を開として蒸発器Ｅに入り、蒸発器伝熱面に散布されている吸収溶液に吸収される。
温水負荷があまり無く出力オーバーになる時は、熱源が排熱の場合、熱源を最大限使用して発電量を確保し、一方、温水（暖房）出力調整のため、冷却水を流し、余分な出力を捨てる。
冷却水は、温度を調整、あるいは流量を調整して、温水の容量制御をすることになる。
【００１３】
発電単独運転においては、基本的には吸収器Ａに吸収溶液を散布すると共に冷却水３を流し、冷媒蒸気膨張機出口の蒸気を流路２５から弁Ｖ１を開として吸収器Ａに導いて吸収させる。凝縮器Ｃには冷却水を流さなくてよいのであるが、流れていても差し支えない。
また、低熱源再生器ＧＬＸで発生した冷媒蒸気を、膨張機７低圧部に導けるようにしてもよい。
各再生器ＧＨ、ＧＬＸへの溶液の供給は、希溶液を分岐するようにして示したが、まず高熱源再生器ＧＨ、次いで低熱源再生器ＧＬＸに流してもよいし、逆に流してもよい。
図２は、再生器をＧＨ１、ＧＨ２、ＧＬＸの三段にし、溶液を高温側から順次流すようにしている。また、膨張機７に冷媒蒸気が順次入るようにしている。最終段の冷媒蒸気も膨張機に導いてもよい。図２では、図１と同様にそれぞれの運転を行うことができる。
【００１４】
次に、図３を用いてそれぞれの運転について説明する。
図３は、一二重効用サイクルの可能な装置を示す。高熱源再生器ＧＨに高温側熱源流体を、低熱源再生器ＧＬＸに低温側熱源流体を投入する。
高熱源再生器ＧＨの発生蒸気は、冷媒蒸気膨張機７に導くと発電ができ、一方低温再生器Ｇに導いて加熱源として利用すれば、冷凍能力を増加させることができる。
低熱源再生器ＧＬＸで発生した冷媒蒸気は、凝縮器Ｃに導く。低熱源温度が高ければ、発生冷媒を冷媒蒸気膨張機７の低圧部あるいは低圧段を経由して凝縮器Ｃに導いてもよい。また、冷媒蒸気膨張機７と凝縮器Ｃとに切替選択導入などとしてもよい。
凝縮器Ｃと吸収器Ａとを弁Ｖ１を有する配管２５で結び、冷媒蒸気膨張機７から出る低圧冷媒蒸気を凝縮器Ｃで凝縮させるか、吸収器Ａに吸収させるか調節あるいは選択できる。
【００１５】
冷房運転においては、高熱源再生器ＧＨからの冷媒蒸気は、冷房負荷が多く冷房主体で運転する場合は、流路２３から低温再生器Ｇに導いて溶液の加熱濃縮に利用（二重効用サイクル）し、冷房負荷が高負荷でなく発電主体で運転する場合は、流路２０から冷媒蒸気膨張機７に導いて発電し、膨張後の冷媒を凝縮させて冷房に利用する。
低熱源再生器ＧＬＸからの冷媒蒸気は、冷房中は基本的には凝縮器Ｃに導く。冷水負荷があまり無く出力オーバーになる時は、凝縮器Ｃと吸収器Ａとの間の弁Ｖ１を開とし、冷媒蒸気膨張機出口から吸収器Ａに入る蒸気量を調節する。
蒸発器Ｅで冷媒蒸気が蒸発して、冷水（又はブライン）を冷却する等は図１と同じである。
溶液の循環は、吸収冷凍機のシリーズフロー、パラレルフロー、リバースフロー、これらの混合したフロー等各種で行うことができる。
【００１６】
暖房運転においては、暖房時には、吸収器Ａ、凝縮器Ｃに冷却水３、４を流さず、吸収溶液を流路１７から弁Ｖ２を開として蒸発器Ｅ伝熱面に散布して温水を製造する。
高熱源再生器ＧＨで発生した冷媒蒸気は、冷媒蒸気膨張機７にて仕事をした後、低熱源再生器ＧＬＸで発生した冷媒蒸気と共に吸収器Ａ又は蒸発器Ｅに入り、蒸発器伝熱面に散布されている吸収溶液に吸収され、蒸発器Ｅを流れる温水を加熱する。
温水負荷があまり無く出力オーバーになる時は、冷却水を流して調節する。
【００１７】
発電単独運転においては、高熱源再生器ＧＨで発生した冷媒蒸気は、冷媒蒸気膨張機７に導き、膨張機７で仕事をした後吸収器Ａの吸収溶液に吸収される。
低熱源再生器ＧＬＸで発生した冷媒蒸気は、吸収器Ａにて吸収溶液に吸収される。なお、低熱源再生器ＧＬＸで発生した冷媒蒸気を冷媒蒸気膨張機の低圧段に導く構成の場合には、膨張機７で仕事をした後、吸収器Ａにて吸収される。
図４は、低熱源再生器ＧＬＸでの冷媒蒸気も、凝縮器Ｃ又は膨張機７に選択して流せるようにしたものである。冷却水温度が低い場合の冷房運転時に、膨張機７に冷媒蒸気を導く。また、発電単独時にも膨張機７に冷媒蒸気を導く。暖房時は温度によって選択することになる。
【００１８】
図５は、冷房運転においては、吸収器Ａの溶液は、流路１１から溶液ポンプＳＰで低温熱交換器Ｘの被加熱側を通った後、高温熱交換器ＸＨの被加熱側を通り高熱源再生器ＧＨに送られ、高熱源再生器ＧＨで熱源５によって加熱され、冷媒蒸気を発生し、溶液は吸収剤が濃縮された状態になる。その後、高温熱交換器ＸＨの加熱側を通って、低熱源再生器ＧＬＸに送られ、そこで熱源によって、加熱濃縮され、冷媒蒸気を発生する。濃縮溶液は低温熱交換器Ｘの加熱側を通って、吸収器Ａに戻り、吸収器伝熱面に散布される。なお、吸収器Ａは、高圧冷媒のときには散布式吸収器ではなく、満液式吸収器で差し支えない。
高熱源再生器ＧＨで発生した冷媒は、流路２０により冷媒蒸気膨張機７の高圧部から入って仕事をし、また、低熱源再生器ＧＬＸで発生した冷媒蒸気は、冷媒蒸気膨張機７の中間段に入って前記高熱源再生器ＧＨからの冷媒蒸気と共に仕事をして凝縮器Ｃに入る。凝縮器Ｃで凝縮した冷媒は、蒸発器Ｅに戻る。冷水負荷があまり無く、冷房出力がオーバーする時は、出力調整のため、膨張機７からの冷媒蒸気の一部を流路２５から弁Ｖ１を開として吸収器Ａに導く。
【００１９】
暖房運転においては、弁Ｖ１、弁Ｖ２、弁Ｖ３は開としており、暖房時には、基本的には吸収器Ａ、凝縮器Ｃに冷却水３、４を流さず、吸収溶液を流路１７から弁Ｖ２を開として蒸発器Ｅ伝熱面に散布して温水を製造し、弁Ｖ３を開として、吸収器Ａに戻す。弁Ｖ３を省略し、蒸発器Ｅからオーバーフローして吸収器Ａに戻るようにしてもよく、また、溶液の導入位置を変えても差し支えない。
高熱源再生器ＧＨで発生した冷媒蒸気と低熱源再生器ＧＬＸで発生した冷媒蒸気は、冷媒蒸気膨張機７で仕事をし、低圧冷媒蒸気となって、流路２２から凝縮器Ｃ経由で吸収器Ａ、蒸発器Ｅに入り、蒸発器Ｅ伝熱面に散布されている吸収溶液に吸収される。
温水負荷があまり無く出力オーバーになる時は、出力調整のため、冷却水を流し、余分な出力を捨てる。
冷却水は、温度を調整、あるいは流量を調整して、温水の容量制御をすることになる。
【００２０】
発電単独運転においては、弁Ｖ２、弁Ｖ３は閉止し、弁Ｖ１は開としており、基本的には吸収器Ａに吸収溶液を散布すると共に冷却水３を流し、冷媒蒸気膨張機出口の蒸気を凝縮器Ｃ経由で流路２５から弁Ｖ１を開として吸収器Ａに導いて吸収させる。凝縮器Ｃには冷却水を流さなくてよいのであるが、流れていても差し支えない。
図５では、再生器への溶液の供給は、希溶液をまず高熱源再生器ＧＨに送り、そこで濃縮された溶液を低熱源再生器ＧＬＸに送り、その後、吸収器Ａに戻るようにして示しているが、まず低熱源再生器ＧＬＸ、次いで高熱源再生器ＧＨに流し、吸収器Ａに戻すようにしてもよい。
また、吸収器Ａの溶液の一部を低熱源再生器ＧＬＸに、残部を高熱源再生器ＧＨに送り、両再生器から吸収器Ａに戻るようにしてもよい。
【００２１】
図６は、一二重効用サイクルの可能な装置を示す。高熱源再生器ＧＨに高温側熱源流体５を、低熱源再生器ＧＬＸに低温側熱源流体を投入する。高熱源再生器ＧＨの発生蒸気は、冷媒蒸気膨張機７に導くと発電ができ、一方、低温再生器Ｇに導いて加熱源として利用すれば、冷凍能力を増加させることができる。
弁Ｖ４を閉止して運転すると、低温再生器の機能がなくなり、図５とほぼ同じ運転になる。
冷房運転においては、弁Ｖ２、Ｖ３は閉止、弁Ｖ１調節（基本的には閉止）、弁Ｖ４は調節としており、弁Ｖ４を閉止して運転すると、発電を重視した冷房運転となり、一方弁Ｖ４を開にすると、低温再生器Ｇが機能し、冷房出力が増加する。高熱源再生器ＧＨからの冷媒蒸気の一部は、冷媒蒸気膨張機７にも流れ、仕事をする。
【００２２】
図示していないが、高熱源再生器ＧＨから冷媒蒸気膨張機７への流路２０に切替弁を挿入し、低温再生器Ｇに全ての冷媒蒸気がいくようにしてもよい。このとき、冷媒蒸気膨張機７の高圧段が抵抗となるので、膨張機７を分割しておき、必要に応じて発電機８と接続できるようにしてもよい。また、膨張機７と発電機８の組合せをそれぞれに持たせ、個別発電としてもよい。
暖房運転においては、弁Ｖ１、Ｖ２、Ｖ３は開、弁Ｖ４は閉として運転する。発電単独運転においては、弁Ｖ２、Ｖ３、Ｖ４は閉止、弁Ｖ１は開として運転する。
【００２３】
図７は、図６の弁Ｖ４を流路２３ではなく、弁Ｖ８として溶液流路１３に挿入している。
溶液が低温再生器Ｇに送られると、低温再生器Ｇが機能し、高熱源再生器ＧＨの冷媒蒸気が低温再生器Ｇの加熱側で凝縮し、一二重効用サイクルとなる。弁Ｖ８を閉止すると、冷媒蒸気は凝縮せず、図６の流路２３の弁Ｖ４を閉止したときと同じ効果を出す。
冷房運転においては、弁Ｖ２、Ｖ３は閉止、弁Ｖ１は調節（基本的には閉止）、弁Ｖ８は調節として運転する。流路１３の弁Ｖ８の調節で、冷房出力の調節ができ（弁Ｖ８開で出力増大、閉で減少）、弁Ｖ８閉止でも出力オーバーのときは、弁Ｖ１を調節する（Ｖ１開で出力減少）。
暖房運転においては、弁Ｖ１、Ｖ２、Ｖ３は開、弁Ｖ８は閉として運転し、また発電単独運転においては、弁Ｖ２、Ｖ３、Ｖ８は閉止、弁Ｖ１は開として運転する。
【００２４】
二重効用サイクルの溶液の循環に、シリーズフロー、パラレルフロー、リバースフロー等各種サイクルが存在し、一二重効用にも同様に各種存在するが、本発明はこれら各種サイクルに適用できる。
図８は、溶液の流し方を変えた例であり、また、図７の低温再生器Ｇの機能変更を行う弁Ｖ８の位置を変えた例であり、高熱源再生器ＧＨから低温再生器Ｇに送る溶液を流路１２’に設けた弁Ｖ９を開として、吸収器Ａに戻している。
図９に、熱源再生器部分の別の例の部分構成図を示す。
前記の図１〜図８においては、高熱源再生器ＧＨ及び低熱源再生器ＧＬＸにおいて、吸収溶液の流れと、熱源ガスの流れが平行流として記載されているが、図９のように熱源ガスの流れと吸収溶液の流れを対向流とすることもでき、この方が熱効率上、好ましい。
【００２５】
吸収器Ａ、蒸発器Ｅ等は、低圧冷媒を用いるときは、散布式の熱交換器の形態をとるが、アンモニア等の高圧冷媒のときには散布式ではなく、満液式の熱交換器の形態としても差し支えない。
吸収冷温水機としているが、吸収冷凍機に適用しても差し支えない。
また、冷却水の代りに空気とするなど、冷却媒体を代えてもよく、冷却水を空気あるいは熱媒など別の媒体としてもよい。
冷媒と吸収剤との沸点差があまり高くない場合、吸収冷凍機としては精留器が必要になり、構成機器中に精留器を含んでいても差し支えない。
【００２６】
【発明の効果】
本発明によれば、ガスタービン、エンジン等の外部からの排熱を熱源として、吸収冷温水機を運転すると共に、吸収冷温水機内に組込んだ冷媒蒸気を駆動源とする膨張機で、発電機を駆動して発電をも行うことができ、また、冷暖房負荷が無い時には、発電単独の運転が可能で、熱源温度が多種に渡る場合、あるいは顕熱変化をする場合、温度レベルに合わせて、膨張機の出力を増大することができる発電及び吸収冷温水装置とすることができた。
また、低熱源再生器の冷媒蒸気は、常に膨張機経由で凝縮器に行く構成とし、吸収冷温水機の冷暖出力のない単独運転への切替を容易にすると共に、低温再生器の機能停止（蒸気を低温再生器で凝縮させない）を、低温再生器への溶液供給停止で行えるようにできた。
【図面の簡単な説明】
【図１】本発明の発電及び吸収冷温水装置の一例を示すフロー構成図。
【図２】本発明の発電及び吸収冷温水装置の他の例を示すフロー構成図。
【図３】本発明の発電及び吸収冷温水装置の他の例を示すフロー構成図。
【図４】本発明の発電及び吸収冷温水装置の他の例を示すフロー構成図。
【図５】本発明の発電及び吸収冷温水装置の他の例を示すフロー構成図。
【図６】本発明の発電及び吸収冷温水装置の他の例を示すフロー構成図。
【図７】本発明の発電及び吸収冷温水装置の他の例を示すフロー構成図。
【図８】本発明の発電及び吸収冷温水装置の他の例を示すフロー構成図。
【図９】本発明に用いる熱源再生器部分の別の例を示す部分構成図。
【符号の説明】
Ａ：吸収器、Ｇ：低温再生器、ＧＨ、ＧＨ１、ＧＨ２：高熱源再生器、ＧＬＸ：低熱源再生器、Ｃ：凝縮器、Ｅ：蒸発器、Ｘ：低温熱交換器、ＸＨ、ＸＨ１、ＸＨ２：高温熱交換器、ＳＰ：溶液ポンプ、ＲＰ：冷媒ポンプ、Ｖ１〜Ｖ９：弁、１、２：冷媒蒸気通路、３、４：冷却水、５：熱源、６：冷温水通路、７：膨張機（冷媒蒸気膨張機）、８：発電機、１１〜１７：溶液流路、１８〜２５：冷媒流路
【図１】
2004003788.tif 000003
【図２】
2004003788.tif 000004
【図３】
2004003788.tif 000005
【図４】
2004003788.tif 000006
【図５】
2004003788.tif 000007
【図６】
2004003788.tif 000008
【図７】
2004003788.tif 000009
【図８】
2004003788.tif 000010
【図９】
2004003788.tif 000011